(57)【要約】      （修正有）【課題】手の内と角見の働きを助けるような程よく乾いた摩擦と、掌に違和感のない感触で弓返りに支障のない滑らかなコンディションを持続する和弓用握革または握革用素地を提供する。【解決手段】多数の小孔２を有する握革１は、エッジ効果と、握革の表面積が拡大すること掌との接触面積が相対的に縮小し、湿り気を減少させ、かつ乾燥を早めてべとつきのないコンディションを維持できる。小孔２の形態としては、円形、多角形、その他不定形であったり、または巻きつける方向に対して略直角に多数の短い切り込みを施し、握台に巻きつける際にテンションをかけて小孔２に変形させてもよい。小孔２の大きさや配置に特に制約はないが、握革素地の強度を阻害しない程度に配慮し、配置パターンは等間隔定型でもランダムとしてもよい。【選択図】図２
0003183293.tif 000002
【実用新案登録請求の範囲】
【請求項１】
円形または多角形または不定形の多数の小孔を穿ち、または多数の短い切り込みを施した、和弓用握革および握革用素地。
【考案の詳細な説明】
【技術分野】
【０００１】
和弓の握革に関する。
【背景技術】
【０００２】
和弓のグリップを握（にぎり）と称し、弓と一体として固着する握台（グリップの基部）の表面に握皮と呼ばれる皮革を巻く。握台の材質は厚紙や皮革またはゴム等で、その厚み、硬軟、弾力性、形状等は、弓力や射手の掌の大きさ、あるいは好みに応じて掌に違和感なく馴染むように形成する。その表面に施す握革は、素材として鹿革やカーフ革等の薄手で柔軟性のある鞣し革を用い、一般的には幅約３〜４ｃｍ、長さ約２０ｃｍ程の両端を斜めにカットした短冊形とし、これを握台に巻き付け木工ボンドなどで固着する。握革の表面には白色や色染め無地の他さまざまな文様や図柄を印刷し、または印伝等が施される。これは外見上のアクセサリーとなり、多数の弓が並ぶ中から素早く一張りの弓を弁別する目印となる。
しかし、握革本来の重要な機能は、以下に詳述する高度な射技をサポートする点にある。握革は、一般スポーツ用具のグリップ巻き革のようにしっかり保持するのが目的ではなく、射技として重要な手の内や角見（つのみ）の働きを助ける機能があり、拇指根への適度な摩擦と同時に、掌に違和感なく滑らかに回転する特性を備えなければならない。
和弓の握は弓の中心ではなく、上が長く下が短い黄金比（１：１．６１８）の位置にあるため、離れ（矢の発射）の瞬間に反発力の強い握の下方が跳ね上がって矢は加速される。初心者はこの際、弓の反動を恐れて掌全体で握を握りしめるため本来の弓力を殺すことになる。弓道における手の内の技は、俗に「手の内三年」等と云われ会得するのが難しいとされるが、練達者は握を握りしめることなく緩やかに把持し、離れの瞬間に上押しの手の内で弓の跳ね上がりを抑えつつ拇指根で弓の右角を押す角見を効かせて、弓を鋭く弓返り（反時計回り左回転）させる。このような手の内の技によって手下が跳ね上がる反動は弓の回転力に転換され、弓が回転することによって弦と矢筈が離れるまでの時間が延長して矢を押すため、矢速と貫通力は高まる。
また、矢は弓の右側に番えて引き分け（弓を引き絞る）、離れで弦は弓の縦軸中心に向かって矢筈を押すが矢先は弓の右側にあるから、矢は的の右前方に向かって発射される。このため初心者は的の後方を狙って的中を求めがちであるが、手の内と角見が働くと弦は直進ではなく弓返りの円運動が加わって補正され、的中率は向上する。
以上のごとく離れにおける手の内と角見の働きは重要であり、握革の機能とはこれらの高度な射技を発揮することにある。角見を効かせるためには握が掌に程よくフィットし、拇指根と握革との適度な摩擦が必要で、角見によって生じる弓返りでは握が滑らかに回転するコンディションが必要となる。
歴史的には、握表面に組紐あるいは羅紗や呉絽（ごろ）を巻きつけたり、あるいは革を巻いたとされ、現代では上記のような柔軟性のある鞣し革の握革が用いられている。握に触れた文献は寡聞にして得難いが、三十三間堂の通し矢（本数を競う速射）においては打ち切り（弓返りさせない）射法を用いるため、掌にクスネ（油で煮溶かした松ヤニ）を用いたこと、また専用の押手・に触れた記述が認められる。
【先行技術文献】
【非特許文献】
【０００３】
「弓道教本第一巻〜第四巻」、（財）全日本弓道連盟、昭和４６年５月〜５９年５月
「現代弓道講座巻１〜巻７」、雄山閣  昭和５７年５月
「紅葉重ね・離れの時機・弓具の見方と扱い方」浦上栄、遊戯社、平成８年１２月
「現代弓道小辞典」春原平八郎、（財）全日本弓道連盟、昭和４１年７月
【考案の概要】
【考案が解決しようとする課題】
【０００４】
握と握革は手の内と角見の技を助けて的中率と貫通力を高め、特に握革のコンディションは機能を発揮する上で重要である。握革の平坦な表面は、使用によって速やかに掌の汗や脂汚れ等によりべたつきを生じ、スリップし易く角見の効き辛いコンディションとなる。特に、高温多湿の条件下で緊張を強いられる試合等では、汗によるぬめりを生じ易い。これをカバーすべく、筆粉（筆の毛の油を取るための粉）、イカ粉（甲イカの骨由来の粉）、炭酸マグネシウム等を表面に施すなど対策するが、これらの吸湿剤と汗や脂汚れ等による表面劣化のため、握革は短期間で頻繁に巻き替え交換しなければならない。
近年、角見の摩擦を高めるべく印伝を施した握革が考案されて中級の射手に好んで用いられるが、印伝の凹凸が手の内の違和感として上級者には嫌われる傾向がある。また、印伝は使用によって速やかに剥離する欠陥がある。以上みた通り、既存の握革が良好なコンディションを維持して機能を発揮するのは、使用開始後のごく短期間に限られる。本考案が解決すべき課題は、手の内と角見の働きが発揮できるような、乾いた摩擦と掌に違和感のなく滑らかに弓返りする握革のコンディションをより長く持続させることである。
【課題を解決するための手段】
【０００５】
握革は、適度な柔軟性を有する鞣した鹿革やカーフ等の表革や裏革を用い、表面にぬめりが生じると吸湿剤等で対処するが、角見を助ける摩擦と滑らかな弓返が可能なコンディションを保つには頻繁な巻き替え更新が必要である。
出願人は、これらの問題点を解決する手段として、多数の小孔を有する握革を考案した。スタッドレスタイヤは、ブロックパターンとサイプのエッジ効果で雪との摩擦を高めるが、鞣し革に多数の小孔を設けることで孔のエッジによる摩擦向上が期待され、さらに、多数の小孔によって表面積は拡大するから、相対的に掌と握革の接触面積が縮小して湿り気を減少させ同時に乾燥を早め、べとつきのない良好なコンディションを維持すると考えた。
小孔の形態としては、円形、多角形、その他不定形であったり、全面が同形の小孔でなくてもよい。また実用試験では、握革を握台に巻きつける際のテンションによって小孔の変形が認められたことから、巻きつける方向に対して略直角に多数の短い切り込みを施すならば、巻きつける際のテンションで変形して小孔状となると推定した。小孔の大きさや配置に特に制約はないが、握革素地の強度を阻害しない程度に配慮し、配置パターンは等間隔定型でもランダムとしてもよい。皮革に孔を穿つには一般にパンチングマシンを用いるから、最適な型を選択することが好ましいと考えられる。
【考案の効果】
【０００６】
試作した小孔を有する握革を施した和弓は、使用環境として最も厳しく劣悪な条件となる夏期から秋期にかけておよそ４か月間試用したが、通常の表面が平滑な握革に較べてべとつく感触や角見の効果を減じるスリップが軽減され、筆粉等の乾燥剤は不要であった。さらに、印伝握革のような掌の違和感は全く感じられず、また当初懸念されたような小孔を穿つことにより握革が脆弱となって破損するようなダメージは生じなかった。
【図面の簡単な説明】
【０００７】
【図１】多数の小孔を有する握革
【図２】多数の小孔を有する握革を握台に巻く状態（斜面模式図）
【図３】多数の小孔を有する握革用素地
【実施例】
【０００８】
握革の最適素材としては鹿革が好ましいが、多数の小孔を有する握革の試作では約１．５ｍｍ程の小円孔を５ｍｍ程の等間隔でパンチング加工したカーフ鞣し革素材が得られたので、鹿革と似た感触とすべく表皮側を薄く剥いで両面をバックスキン状として用いた。これを握革用素地として、幅約３．８ｃｍに裁断して図１のような握革の形状とし、定法通り木工ボンドを塗布した握台に巻き付けて握を完成した。この際、巻きつける方向に引き伸ばすテンションが加わるため、握革が伸びた部位の小円孔は楕円に変形した。このことから、もしスタッドレスタイヤのサイプのごとく巻きつける方向に対して略直角に多数の短い切り込みを入れるならば、巻きつける際のテンションで切れ目が開いて小孔状を呈すると推定された。
多数の小孔を有する握革の試作品を施した和弓を４か月間ほど試用に供したが、この間、掌に違和感は全く感じられず、角見を阻害するべとつくような不良コンディションの発生は非常に減じた。多数の小孔のエッジによる摩擦効果と、表面積拡大による掌との相対的な接触面積の減少、および空気との接触面積拡大による乾燥効果と判断した。
一方、小孔を穿つことによる握革の脆弱化や小孔の破損が当初懸念されたが、試用期間内でこのようなダメージは皆無であった。試用評価として、従来の握革に生じがちな問題点は大きく軽減された。試作では容易に得られた素材を用いたが、鹿革等の最適素材を用い、孔の大きさや形態および配置パターン等を検討することでさらに優れた握革が期待できる。
【符号の説明】
【０００９】
１  握革
２  小孔
３  矢擦籐
４  握台
５  蟇目叩籐
６  内竹
７  外竹
８  側木
９  裁断前の握革用素地
【図１】
0003183293.tif 000003
【図２】
0003183293.tif 000004
【図３】
0003183293.tif 000005
【手続補正書】
【提出日】平成25年3月1日(2013.3.1)
【手続補正１】
【補正対象書類名】実用新案登録請求の範囲
【補正対象項目名】全文
【補正方法】変更
【補正の内容】
【実用新案登録請求の範囲】
【請求項１】
円形または多角形または不定形の多数の小孔を穿ち、または多数の短い切り込みを施した、和弓用握革または握革用素地。